【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
端末装置による測定の結果を取得する取得部と、
前記測定の前記結果に基づいて、マクロセルと一部又は全体で重なるスモールセルの基地局の動作モードの切替えを制御する制御部と、
を備え、
前記切替えは、第１のモード及び第２のモードの一方から他方への前記動作モードの切替えであり、
前記第１のモードは、前記基地局が前記スモールセル内の装置との無線通信を行うことが可能なモードであり、
前記第２のモードは、前記第１のモードよりも消費電力が小さいモードである、
通信制御装置。
【請求項２】
前記切替えは、前記第１のモードから前記第２のモードへの切替えであり、
前記測定の前記結果は、前記スモールセルについての測定の結果を含む、
請求項１に記載の通信制御装置。
【請求項３】
前記切替えを制御することは、前記基地局に接続されている端末装置のハンドオーバ先を決定することを含む、請求項２に記載の通信制御装置。
【請求項４】
前記切替えは、前記第２のモードから前記第１のモードへの切替えである、請求項１に記載の通信制御装置。
【請求項５】
前記測定の前記結果は、前記スモールセル以外の１つ以上の別のセルについての測定の結果を含む、請求項４に記載の通信制御装置。
【請求項６】
前記切替えを制御することは、前記切替えを行うことを決定することを含む、請求項１〜５のいずれか一項に記載の通信制御装置。
【請求項７】
前記切替えを制御することは、前記切替えを行うことが決定された場合に前記基地局による前記切替えをトリガすることを含む、請求項６に記載の通信制御装置。
【請求項８】
前記測定の前記結果は、複数の周波数帯域の各々についての測定の結果を含み、
前記切替えは、周波数帯域単位での前記動作モードの切替えである、
請求項１〜７のいずれか一項に記載の通信制御装置。
【請求項９】
前記第２のモードは、少なくとも前記無線通信のための信号処理回路が連続的に又は不連続に停止するモードである、請求項１〜８のいずれか一項に記載の通信制御装置。
【請求項１０】
前記端末装置による測定の結果の報告又は提供を要求する要求部をさらに備える、請求項１〜９のいずれか一項に記載の通信制御装置。
【請求項１１】
端末装置による測定の結果を取得することと、
前記測定の前記結果に基づいて、マクロセルと一部又は全体で重なるスモールセルの基地局の動作モードの切替えをプロセッサにより制御することと、
を含み、
前記切替えは、第１のモード及び第２のモードの一方から他方への前記動作モードの切替えであり、
前記第１のモードは、前記基地局が前記スモールセル内の装置との無線通信を行うことが可能なモードであり、
前記第２のモードは、前記第１のモードよりも消費電力が小さいモードである、
通信制御方法。
【請求項１２】
マクロセルと一部又は全体で重なるスモールセルの基地局の動作モードが第１のモードから第２のモードへ切り替えられることを予め認識する認識部と、
前記基地局の前記動作モードが前記第１のモードから前記第２のモードへ切り替えられる前に、前記基地局に接続されている端末装置による測定の結果の報告又は提供を要求する要求部と、
を備え、
前記第１のモードは、前記基地局が前記スモールセル内の装置との無線通信を行うことが可能なモードであり、
前記第２のモードは、前記第１のモードよりも消費電力が小さいモードである、
通信制御装置。
【請求項１３】
前記測定の前記結果は、前記スモールセル以外の１つ以上の別のセルについての測定の結果を含む、請求項１２に記載の通信制御装置。
【請求項１４】
前記動作モードは、周波数帯域単位で切替え可能であり、
前記測定の前記結果は、前記動作モードが切り替えられる周波数帯域以外の１つ以上の別の周波数帯域についての測定の結果を含む、
請求項１２又は１３に記載の通信制御装置。
【請求項１５】
前記第２のモードは、少なくとも前記無線通信のための信号処理回路が停止するモードである、請求項１２〜１４のいずれか一項に記載の通信制御装置。
【請求項１６】
マクロセルと一部又は全体で重なるスモールセルの基地局の動作モードが第１のモードから第２のモードへ切り替えられることを予め認識することと、
前記基地局の前記動作モードが前記第１のモードから前記第２のモードへ切り替えられる前に、前記基地局に接続されている端末装置による測定の結果の報告又は提供をプロセッサにより要求することと、
を含み、
前記第１のモードは、前記基地局が前記スモールセル内の装置との無線通信を行うことが可能なモードであり、
前記第２のモードは、前記第１のモードよりも消費電力が小さいモードである、
通信制御方法。
【請求項１７】
マクロセルと一部又は全体で重なるスモールセルの基地局の動作モードが第１のモードから第２のモードへ切り替えられる前に、前記基地局に接続されている端末装置による測定の結果を取得する取得部と、
前記測定の前記結果に基づいて、前記端末装置のハンドオーバ先を決定する制御部と、
を備え、
前記第１のモードは、前記基地局が前記スモールセル内の装置との無線通信を行うことが可能なモードであり、
前記第２のモードは、前記第１のモードよりも消費電力が小さいモードである、
通信制御装置。
【請求項１８】
前記測定の前記結果は、前記スモールセル以外の１つ以上の別のセルについての測定の結果を含み、
前記制御部は、前記測定の前記結果に基づいて、前記基地局以外の別の基地局を前記ハンドオーバ先として決定する、
請求項１７に記載の通信制御装置。
【請求項１９】
前記動作モードは、周波数帯域単位で切替え可能であり、
前記測定の前記結果は、前記動作モードが切り替えられる周波数帯域以外の１つ以上の別の周波数帯域についての測定の結果を含む、
前記制御部は、前記測定の前記結果に基づいて、前記周波数帯域以外の別の周波数帯域を前記ハンドオーバ先として決定する、
請求項１７に記載の通信制御装置。
【請求項２０】
マクロセルと一部又は全体で重なるスモールセルの基地局の動作モードが第１のモードから第２のモードへ切り替えられる前に、前記基地局に接続されている端末装置による測定の結果を取得することと、
前記測定の前記結果に基づいて、前記端末装置のハンドオーバ先をプロセッサにより決定することと、
を含み、
前記第１のモードは、前記基地局が前記スモールセル内の装置との無線通信を行うことが可能なモードであり、
前記第２のモードは、前記第１のモードよりも消費電力が小さいモードである、
通信制御方法。
【手続補正２】
【補正対象書類名】明細書
【補正対象項目名】０２５１
【補正方法】変更
【補正の内容】
【０２５１】
マクロ基地局１００−２は、第１のモード（例えば、通常モード）から第２のモード（例えば、停止モード又は省電力モード）へのスモール基地局２００−２の動作モードの切替えを行うことを決定する（Ｓ６７１）。そして、マクロ基地局１００−２は、スモール基地局２００−２に、上記第１のモードから上記第２のモードへの上記動作モードの切替えを指示する（Ｓ６７３）。
【手続補正３】
【補正対象書類名】明細書
【補正対象項目名】０２９２
【補正方法】変更
【補正の内容】
【０２９２】
これにより、例えば、スモール基地局２００−１をさらに柔軟に動作させることが可能となる。具体的には、例えば、スモール基地局２００−１は、スモールセル２０の複数の周波数帯域の全てにおいて通信を再開する代わりに、当該複数の周波数帯域の一部において通信を再開することができる。その結果、スモール基地局２００−１の消費電力がより低減され得る。また、スモール基地局２００−１に起因する干渉も低減され得る。
【手続補正４】
【補正対象書類名】図面
【補正対象項目名】図１４
【補正方法】変更
【補正の内容】
【図１４】
2015130644.tif 000001